(57)【要約】【課題】  インターロックスイッチの作動を迅速に検出する画像形成装置を得る。【解決手段】  少なくとも２つのモーター２３ａ，２３ｂは、インターロックスイッチ４３より後段の電源ラインから電力供給を受け、惰性回転時の逆起電力をその電源ラインに出力する。インターロックスイッチ４３より後段において、インターロックスイッチ４３が開状態になったときに、２つのモーター２３ａ，２３ｂのうちの一方のモーターから見た電源ライン側のインピーダンスと、他方のモーターから見た電源ライン側のインピーダンスとが異なるようにする追加負荷４４が設けられている。そして、コントローラー３２は、（ａ）２つのモーター２３ａ，２３ｂを互いに同一速度で回転させるように制御し、（ｂ）２つのモーター２３ａ，２３ｂの回転速度に対応する２つの検出信号に基づいて、２つのモーター２３ａ，２３ｂの回転速度が互いに異なることを検出したときに、インターロックスイッチ４３が開状態であると判定する。【選択図】  図３
2019219446.tif 000002
【特許請求の範囲】
【請求項１】
インターロックスイッチと、
前記インターロックスイッチより後段の電源ラインから電力供給を受け、惰性回転時の逆起電力を前記電源ラインに出力する少なくとも２つのモーターと、
前記インターロックスイッチより後段に設けられ、前記インターロックスイッチが開状態になったときに、前記２つのモーターのうちの一方のモーターから電源ラインを見たインピーダンスと、前記２つのモーターのうちの他方のモーターから電源ラインを見たインピーダンスとが異なるようにする追加負荷と、
（ａ）前記２つのモーターを互いに同一速度で回転させるように制御し、（ｂ）前記２つのモーターの回転速度に対応する２つの検出信号に基づいて、前記２つのモーターの回転速度が互いに異なることを検出したときに、前記インターロックスイッチが開状態であると判定するコントローラーと、
を備えることを特徴とする画像形成装置。
【請求項２】
感光体ドラムと、
光線を走査しつつ前記感光体ドラムに照射する少なくとも２つの露光装置と、
所定位置上を前記光線が走査されたことを検出する少なくとも２つの光線検出センサーとをさらに備え、
前記２つのモーターは、前記２つの露光装置において前記光線を走査するためのポリゴンミラーをそれぞれ回転させるためのモーターであり、
前記２つの光線検出センサーは、それぞれ、所定位置上を前記光線が走査されたときにパルス状の検出信号を出力し、
前記コントローラーは、前記２つの光線検出センサーの前記検出信号が同期しなくなったときに、前記インターロックスイッチが開状態であると判定すること、
を特徴とする請求項１記載の画像形成装置。
【請求項３】
前記追加負荷は、少なくとも、前記２つのモーターの間の前記電源ライン上に配置されていることを特徴とする請求項１記載の画像形成装置。
【請求項４】
前記追加負荷は、少なくとも、前記２つのモーターのうちの片方に対して並列に配置されていることを特徴とする請求項１または請求項３記載の画像形成装置。
【発明の詳細な説明】
【技術分野】
【０００１】
本発明は、画像形成装置に関するものである。
【背景技術】
【０００２】
ある画像形成装置では、インターロックスイッチが作動したとき、モーターの逆起電力が、インターロックスイッチより後段の負荷で消費されるようになっている（例えば特許文献１参照）。
【先行技術文献】
【特許文献】
【０００３】
【特許文献１】特開２０１５−２８６１８号公報
【発明の概要】
【発明が解決しようとする課題】
【０００４】
通常、インターロックスイッチの作動（つまり、開状態）を検知するために、インターロックスイッチの後段の電源ラインに分圧回路が設けられ、インターロックスイッチの後段の電源ラインの電圧と分圧回路で分圧して得られる電圧が監視される。そして、その電圧が所定閾値未満になると、インターロックスイッチが作動したと判定される。
【０００５】
しかしながら、このようにして、インターロックスイッチの作動を検出する場合、上述のように、インターロックスイッチ作動時にモーターの逆起電力が生じるため、インターロックスイッチの後段の電源ラインの電圧が、インターロックスイッチの作動時にただちに低下せず、インターロックスイッチの作動の検出が遅延してしまう。ひいては、インターロックスイッチ作動時の安全措置の動作の開始も遅延してしまう。
【０００６】
本発明は、上記の問題に鑑みてなされたものであり、インターロックスイッチの作動を迅速に検出する画像形成装置を得ることを目的とする。
【課題を解決するための手段】
【０００７】
本発明に係る画像形成装置は、インターロックスイッチと、前記インターロックスイッチより後段の電源ラインから電力供給を受け、惰性回転時の逆起電力を前記電源ラインに出力する少なくとも２つのモーターと、前記インターロックスイッチより後段に設けられ、前記インターロックスイッチが開状態になったときに、前記２つのモーターのうちの一方のモーターから見た電源ライン側のインピーダンスと、前記２つのモーターのうちの他方のモーターから見た電源ライン側のインピーダンスとが異なるようにする追加負荷と、（ａ）前記２つのモーターを互いに同一速度で回転させるように制御し、（ｂ）前記２つのモーターの回転速度に対応する２つの検出信号に基づいて、前記２つのモーターの回転速度が互いに異なることを検出したときに、前記インターロックスイッチが開状態であると判定するコントローラーとを備える。
【発明の効果】
【０００８】
本発明によれば、インターロックスイッチの作動を迅速に検出する画像形成装置が得られる。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る画像形成装置の機械的な内部構成の一部を示す側面図である。
【図２】図２は、図１における露光装置２ａの構成およびその周辺の電子回路の構成の一例を示す図である。
【図３】図３は、図１および図２に示す画像形成装置の電気的構成の一部を示すブロック図である。
【図４】図４は、図２および図３におけるドライバー３１ａ内のモーター駆動回路５１の一例を示す回路図である。
【図５】図５は、図３に示す画像形成装置における、インターロック作動後の２つのモーター２３ａ，２３ｂの電源ラインの電圧降下について説明する図である。
【図６】図６は、図３に示す画像形成装置における、インターロック作動後の２つのモーター２３ａ，２３ｂに対応するビーム検知信号Ｓｉｇ＿Ａ，Ｓｉｇ＿Ｂの一例を示す図である。
【発明を実施するための形態】
【００１１】
以下、図に基づいて本発明の実施の形態を説明する。
【００１２】
図１は、本発明の実施の形態に係る画像形成装置の機械的な内部構成の一部を示す側面図である。図１に示す画像形成装置は、プリンター、ファクシミリ装置、複写機、複合機などといった、電子写真方式の印刷機能を有する装置である。
【００１３】
この実施の形態の画像形成装置は、タンデム方式のカラー現像装置を有する。このカラー現像装置は、感光体ドラム１ａ〜１ｄ、露光装置２ａ，２ｂおよび現像装置３ａ〜３ｄを有する。感光体ドラム１ａ〜１ｄは、シアン、マゼンタ、イエローおよびブラックの４色の感光体である。
【００１４】
露光装置２ａ，２ｂは、レーザー光線を走査しつつ感光体ドラム１ａ〜１ｄに照射して、感光体ドラム１ａ〜１ｄ上に、印刷画像の各色プレーンに対応する静電潜像を形成する。露光装置２ａ，２ｂは、レーザー光の光源であるレーザーダイオード、そのレーザー光を感光体ドラム１ａ〜１ｄへ導く光学素子（レンズ、ミラー、ポリゴンミラーなど）を有する。
【００１５】
さらに、感光体ドラム１ａ〜１ｄの周囲には、スコロトロン等の帯電器、クリーニング装置、除電器などが配置されている。クリーニング装置は、１次転写後に、感光体ドラム１ａ〜１ｄ上の残留トナーを除去し、除電器は、１次転写後に、感光体ドラム１ａ〜１ｄを除電する。
【００１６】
現像装置３ａ〜３ｄには、シアン、マゼンタ、イエローおよびブラックの４色のトナーが充填されているトナーカートリッジがそれぞれ装着され、トナーカートリッジからトナーが供給され、キャリアとともに現像剤を構成する。現像装置３ａ〜３ｄは、そのトナーを感光体ドラム１ａ〜１ｄ上の静電潜像に付着させてトナー像を形成する。
【００１７】
感光体ドラム１ａ、露光装置２ａ、および現像装置３ａにより、イエローの現像が行われ、感光体ドラム１ｂ、露光装置２ａ、および現像装置３ｂにより、シアンの現像が行われ、感光体ドラム１ｃ、露光装置２ｂ、および現像装置３ｃにより、マゼンタの現像が行われ、感光体ドラム１ｄ、露光装置２ｂ、および現像装置３ｄにより、ブラックの現像が行われる。
【００１８】
中間転写ベルト４は、感光体ドラム１ａ〜１ｄに接触し、感光体ドラム１ａ〜１ｄ上のトナー画像を１次転写される環状の像担持体である。中間転写ベルト４は、駆動ローラー５に張架され、駆動ローラー５からの駆動力によって、感光体ドラム１ｄとの接触位置から感光体ドラム１ａとの接触位置への方向へ周回していく。
【００１９】
転写ローラー６は、搬送されてくる用紙を中間転写ベルト４に接触させ、中間転写ベルト４上のトナー画像を用紙に２次転写する。なお、トナー画像を転写された用紙は、定着器９へ搬送され、トナー画像が用紙へ定着される。
【００２０】
ローラー７は、クリーニングブラシを有し、クリーニングブラシを中間転写ベルト４に接触させ、用紙へのトナー画像の転写後に中間転写ベルト４に残ったトナーを除去する。
【００２１】
センサー８は、現像されたトナー像の濃度を測定する光学式センサーであって、中間転写ベルト４に光線を照射し、その反射光を検出する。例えば、トナー濃度調整の際、センサー８は、中間転写ベルト４の所定の領域に光線を照射しその反射光を検出し、その光量に応じた電気信号を出力する。
【００２２】
レジストローラー１０は、給紙トレイなどから１次給紙で搬送されてくる用紙を一時停止させ、２次給紙タイミングでその用紙を中間転写ベルト４および転写ローラー６による転写位置へ搬送する。レジストセンサー１１は、レジストローラー１０の近傍に設置され、用紙がレジストローラー１０へ到達したことを光学的に検出するセンサーである。
【００２３】
図２は、図１における露光装置２ａの構成およびその周辺の電子回路の構成の一例を示す図である。なお、図２に示す露光装置２ａは、感光体ドラム１ａ，１ｂ用の露光装置であり、感光体ドラム１ｃ，１ｄ用の露光装置２ｂも同様の構成を有する。なお、図２では、感光体ドラム１ａ用の光学系のみを示しており、感光体ドラム１ｂ用の光学系の図示を省略している。ただし、ポリゴンミラー２３およびモーター２３ａは、感光体ドラム１ａ，１ｂの両方のために使用される。
【００２４】
図２において、レーザーダイオード２１は、レーザー光線を出射する光源である。光学系２２は、レーザーダイオード２１からポリゴンミラー２３までの間、および／またはポリゴンミラー２３から感光体ドラム１ａおよびＢＤセンサー２４までの間に配置された各種レンズ群である。光学系２２には、ｆθレンズなどが使用される。
【００２５】
また、ポリゴンミラー２３は、感光体ドラム１ａの軸に対して垂直な軸を有し、その軸に垂直な断面が多角形であり、その側面がミラーとなっている素子である。ポリゴンミラー２３は、その軸を中心に回転し、レーザーダイオード２１から出射したレーザー光線を感光体ドラム１ａの軸方向（主走査方向）に沿って走査して、レーザー光線を走査する。
【００２６】
モーター２３ａは、コントローラー３２からの制御信号に従ってポリゴンミラー２３を回転させる。
【００２７】
また、ＢＤセンサー２４は、主走査同期信号を生成するためにポリゴンミラー２３により走査されている光線を所定位置で受光するセンサーである。ＢＤセンサー２４は、光線が入射すると、光量に応じた出力電圧を誘起する。ＢＤセンサー２４は、光線が走査される線上の所定位置に配置され、その所定位置上を光線が走査されたタイミングを検出し、そのタイミングで形成されるパルスを主走査同期信号として出力する。なお、主走査同期信号は、後述のビーム検知信号としても使用される。このように、ＢＤセンサー２４は、それぞれ、所定位置上を光線が走査されたときにパルス状のビーム検知信号を出力する。
【００２８】
ドライバー３１ａは、レーザーダイオード２１を制御してレーザー光線を出射させる光源制御回路、上述のモーター２３ａを駆動するモーター駆動回路などを備える。例えば、ドライバー３１ａは、１または複数の集積回路として実現される。
【００２９】
なお、光源制御回路は、主走査同期信号に同期して形成すべき画像に応じたパターンでレーザー光によって露光されるようにレーザーダイオード２１を制御するとともに、主走査同期信号（ビーム検知信号）をコントローラー３２に出力する。
【００３０】
図３は、図１および図２に示す画像形成装置の電気的構成の一部を示すブロック図である。図３に示すように、この画像形成装置は、露光装置２ａのポリゴンミラー２３を駆動するモーター２３ａ、露光装置２ｂのポリゴンミラー２３を駆動するモーター２３ｂ、露光装置２ａ（モーター２３ａ）のドライバー３１ａ、露光装置２ｂ（モーター２３ｂ）のドライバー３１ｂ、およびコントローラー３２を備える。なお、ドライバー３１ｂは、ドライバー３１ａと同様の回路である。
【００３１】
モーター２３ａ，２３ｂは、インターロックスイッチ４３より後段の電源ラインから（ドライバー３１ａ，３１ｂを介して）電力供給を受け、惰性回転時の逆起電力を（ドライバー３１ａ，３１ｂを介して）その電源ラインに出力する。
【００３２】
コントローラー３２は、ＡＳＩＣ（Application Specific Integrated Circuit）やマイクロコンピューターなどを備え、当該画像形成装置の内部装置の制御やデータ処理などを行い、露光装置２ａ，２ｂ（レーザーダイオード２１、ドライバー３１ａ，３１ｂなど）を制御し、画像形成のためにレーザー光線で感光体ドラム１ａ〜１ｄを露光する。
【００３３】
また、コントローラー３２は、ドライバー３１ａ，３１ｂを使用してモーター２３ａ，２３ｂを回転させ、モーター２３ａ，２３ｂの速度制御を行う。
【００３４】
さらに、図３に示すように、この画像形成装置は、電源回路４１、ＤＣ／ＤＣコンバーター４２、インターロックスイッチ４３、追加負荷４４、およびコンデンサー４５を備える。
【００３５】
電源回路４１は、商用交流電源から直流電源電圧Ｖｃｃを所定基準値Ｖｒｅｆで生成し、内部装置への電力供給を行う。基準値Ｖｒｅｆは、例えば２４ボルトとされる。
【００３６】
ＤＣ／ＤＣコンバーター４２は、直流電源電圧Ｖｃｃを降圧し、別の直流電源電圧Ｖｃｃ３を生成し、コントローラー３２に電力供給する。直流電源電圧Ｖｃｃ３は、例えば、３．３ボルトとされる。
【００３７】
インターロックスイッチ４３は、通常状態で、閉状態（導通状態）となっており、所定の部位（筐体カバーなど）が操作されると、自動的に開状態（遮断状態）となるスイッチである。
【００３８】
追加負荷４４は、インターロックスイッチ４３より後段の電源ライン上に設けられ、インターロックスイッチ４３が開状態になったときに、２つのモーター２３ａ，２３ｂのうちの一方のモーターから見た電源ライン側のインピーダンス（つまり、モーターの２つの電源端子の両端から見た電源側のインピーダンス）と、他方のモーターから見た電源ライン側のインピーダンスとが異なるようにする。なお、追加負荷４４は、１つの素子でもよいし、複数の素子を複数の箇所に配置するようにしてもよい。この実施の形態では、追加負荷４４は、抵抗素子であるが、電源ラインに使用されているハーネスの抵抗値を追加負荷４４としてもよい。このように、追加負荷４４は、２つのモーター２３ａ，２３ｂの間の電源ライン上に配置されている。
【００３９】
コンデンサー４５は、電源電圧の平滑や高周波ノイズ抑制などの目的で設けられており、また、追加負荷（つまり、２つのモーター２３ａ，２３ｂのうちの一方のモーターから見た電源ライン側のインピーダンスと、他方のモーターから見た電源ライン側のインピーダンスとが異なるようにするための負荷）としても機能する。
【００４０】
なお、抵抗Ｒ１，Ｒ２は、分圧回路であって、インターロックスイッチ４３の後段の電源ラインの電圧を分圧し、分圧後の電圧をコントローラー３２に印加する。コントローラー３２は、その分圧後の電圧に基づいて、インターロックスイッチ４３の後段の電源ラインの電圧を特定する。
【００４１】
図４は、図２および図３におけるドライバー３１ａ内のモーター駆動回路５１の一例を示す回路図である。なお、モーター駆動回路５１は、図４に示すものに限定されず、モーター２３ａの種別（ＤＣモーター、ステッピングモーターなど）に応じた構成とされる。
【００４２】
モーター駆動回路５１は、スイッチング素子としてのトランジスターＴｒ１、トランジスターＴｒ１のバイアス回路を構成する抵抗Ｒａ，Ｒｂ、スイッチング素子としてのトランジスターＴｒ２、トランジスターＴｒ２のバイアス回路を構成する抵抗Ｒｃ，Ｒｄ、およびトランジスターＴｒ２の保護用ダイオードＤを備える。コントローラー３２からの制御信号がハイレベルである場合、トランジスターＴｒ１がオン状態となり、トランジスターＴｒ２がオン状態となり、モーター２３ａに電源電圧Ｖｃｃ１が印加され、駆動電流がモーター２３ａに導通する。コントローラー３２からの制御信号がローレベルである場合、トランジスターＴｒ１がオフ状態となり、トランジスターＴｒ２がオフ状態となり、モーター２３ａに電源電圧Ｖｃｃ１が印加されず、駆動電流がモーター２３ａに導通しない。なお、モーター２３ａが惰性回転している場合、モーター２３ａの逆起電力が保護用ダイオードＤを介して電源ラインに出力される。
【００４３】
さらに、コントローラー３２は、（ａ）例えば後述の主走査同期信号のパルス周期に従って制御信号のデューティを調整して、２つのモーター２３ａ，２３ｂを互いに同一速度で回転させるように制御し、（ｂ）２つのモーター２３ａ，２３ｂの回転速度に対応する２つの検出信号（ビーム検知信号Ｓｉｇ＿Ａ，Ｓｉｇ＿Ｂ）に基づいて、２つのモーター２３ａ，２３ｂの回転速度が互いに異なることを検出したときに、（抵抗Ｒ１，Ｒ２による分圧回路により印加される電圧に拘わらず）インターロックスイッチ４３が開状態であると判定する。
【００４４】
具体的には、この実施の形態では、コントローラー３２は、露光装置２ａ，２ｂにおける２つのＢＤセンサー２４についてのビーム検知信号Ｓｉｇ＿Ａ，Ｓｉｇ＿Ｂが同期しなくなったときに、（抵抗Ｒ１，Ｒ２による分圧回路により印加される電圧に拘わらず）インターロックスイッチ４３が開状態であると判定する。なお、インターロックスイッチ４３の作動後。ドライバー３１ａ，３１ｂの電源電圧Ｖｃｃ１，Ｖｃｃ２は徐々に低下していくが、ドライバー３１ａ，３１ｂにおける光源制御回路は、電源電圧Ｖｃｃ１，Ｖｃｃ２がコントローラー３２の直流電源電圧Ｖｃｃ３と略同一になるまで、その動作を継続し、継続して、主走査同期信号（ビーム検知信号）をコントローラー３２に出力する。
【００４５】
なお、例えばユーザー操作に従って、正常動作として、モーター２３ａ，２３ｂの動作を停止させた場合や、スリープ状態に移行する際に、正常動作として、モーター２３ａ，２３ｂの動作を停止させた場合でも、モーター２３ａ，２３ｂが惰性回転するため、コントローラー３２は、それらの場合において、上述のように、２つのモーター２３ａ，２３ｂの回転速度が互いに異なることを検出しても、インターロックスイッチ４３が開状態であるとは判定しない。
【００４６】
また、コントローラー３２は、抵抗Ｒ１，Ｒ２による分圧回路により印加される電圧に基づいて、補完的に、インターロックスイッチ４３の開状態を検出するようにしてもよい。
【００４７】
また、インターロックスイッチ４３の後段の電源ラインには、図３において図示していない負荷が接続されていてもよい。その場合、追加負荷４４は、その負荷を含めて、モーター２３ａ，２３ｂから見た電源ライン側のインピーダンスが異なるようにしている。
【００４８】
次に、上記画像形成装置の動作について説明する。
【００４９】
図５は、図３に示す画像形成装置における、インターロック作動後の２つのモーター２３ａ，２３ｂの電源ラインの電圧降下について説明する図である。図６は、図３に示す画像形成装置における、インターロック作動後の２つのモーター２３ａ，２３ｂに対応するビーム検知信号Ｓｉｇ＿Ａ，Ｓｉｇ＿Ｂの一例を示す図である。
【００５０】
時刻Ｔｓでインターロックスイッチ４３が作動して開状態になると、コントローラー３２によってドライバー３１ａ，３１ｂの状態（モーター駆動回路５１のトランジスターＴｒ２のオン／オフ状態）に拘わらず、電源回路４１からモーター２３ａ，２３ｂへの電力供給が遮断され、モーター２３ａ，２３ｂは、惰性回転状態となり、それぞれ、逆起電力を誘起する。
【００５１】
そして、モーター２３ａから見た電力ライン側のインピーダンスとモーター２３ｂから見た電力ライン側のインピーダンスとが互いに異なるため、モーター２３ａ，２３ｂの逆起電力の低下速度も図５に示すように異なり、モーター２３ａ，２３ｂの回転速度の減衰速度も異なる。
【００５２】
したがって、インターロックスイッチ４３の作動後の惰性回転状態では、モーター２３ａ，２３ｂの回転速度は互いに異なるとともに、両者の回転速度の差は時間経過とともに徐々に変化する。そのため、図６に示すように、コントローラー３２は、ビーム検知信号Ｓｉｇ＿Ａのパルスタイミングとビーム検知信号Ｓｉｇ＿Ｂのパルスタイミングとの間の時間ｔｉ（ｉ＝１，２，３，・・・）を繰り返し計測し、その計測時間ｔｉが実質的に一定である場合には、ビーム検知信号Ｓｉｇ＿Ａ，Ｓｉｇ＿Ｂが互いに同期していると判定し、その計測時間ｔｉが時間経過とともに変化している場合には（図６では、ｔ１＞ｔ２＞ｔ３＞ｔ４）、ビーム検知信号Ｓｉｇ＿Ａ，Ｓｉｇ＿Ｂが互いに同期していないと判定する。
【００５３】
そして、ビーム検知信号Ｓｉｇ＿Ａ，Ｓｉｇ＿Ｂが互いに同期していないと判定した場合、コントローラー３２は、インターロックスイッチ４３が開状態であると判定し、所定の安全措置の動作を行う。
【００５４】
以上のように、上記実施の形態によれば、少なくとも２つのモーター２３ａ，２３ｂは、インターロックスイッチ４３より後段の電源ラインから電力供給を受け、惰性回転時の逆起電力をその電源ラインに出力する。インターロックスイッチ４３より後段において、インターロックスイッチ４３が開状態になったときに、２つのモーター２３ａ，２３ｂのうちの一方のモーターから見た電源ライン側のインピーダンスと他方のモーターから見た電源ライン側のインピーダンスとが異なるようにする追加負荷４４が設けられている。そして、コントローラー３２は、（ａ）２つのモーター２３ａ，２３ｂを互いに同一速度で回転させるように制御し、（ｂ）その制御を行っているときに、２つのモーター２３ａ，２３ｂの回転速度に対応する２つの検出信号に基づいて、２つのモーター２３ａ，２３ｂの回転速度が互いに異なることを検出したときに、インターロックスイッチ４３が開状態であると判定する。
【００５５】
これにより、インターロックスイッチ４３の作動後にモーター２３ａ，２３ｂが逆起電力を誘起しておりモーター２３ａ，２３ｂの電源電圧Ｖｃｃ１，Ｖｃｃ２が十分に低下していない状態でも、２つのモーター２３ａ，２３ｂの回転速度が互いに異なることを検出することで、インターロックスイッチ４３の作動が迅速に検出される。
【００５６】
また、上記実施の形態によれば、静電潜像の形成に使用する主走査同期信号を上述のビーム検知信号に使用しているため、上述のようにして、インターロックスイッチ４３の作動の検出のために追加する回路の規模が小さくて済む。また、コントローラー３２としてＩＣチップを使用する場合、主走査同期信号をビーム検知信号として使用するため、ビーム検知信号を入力するためのピンを別途設ける必要がなく、低コストで上述の装置を実現できる。
【００５７】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５８】
例えば、上記実施の形態では、モーター２３ａ，２３ｂは、ポリゴンミラー２３を駆動するモーターであるが、その代わりに、モーター２３ａ，２３ｂが感光体ドラム１ａ〜１ｄの駆動用モーターであってもよい。
【００５９】
また、上記実施の形態では、２つの露光装置２ａ，２ｂで４つの感光体ドラム１ａ〜１ｄへのレーザー光線の照射を行っており、ポリゴンミラー２３を駆動するモーター２３ａ，２３ｂは２つであるが、その代わりに、４つの露光装置で４つの感光体ドラム１ａ〜１ｄへのレーザー光線の照射を行う場合には、ポリゴンミラー２３が４つになるため、ポリゴンミラー２３を駆動するモーターも４つとなる。したがって、その場合には、４つのモーターに対応する４つのビーム検知信号のうちの２つのビーム検知信号を使用して同様にインターロックスイッチ４３の開状態を検出すればよい。
【産業上の利用可能性】
【００６０】
本発明は、例えば、画像形成装置に適用可能である。
【符号の説明】
【００６１】
１ａ〜１ｄ  感光体ドラム
２ａ，２ｂ  露光装置
２３  ポリゴンミラー
２３ａ,２３ｂ  モーター
２４  ＢＤセンサー（光線検出センサーの一例）
３２  コントローラー
４１  電源回路
４２  ＤＣ／ＤＣコンバーター
４３  インターロックスイッチ
４４  追加負荷
４５  コンデンサー（追加負荷の一例）
【図１】
2019219446.tif 000003
【図２】
2019219446.tif 000004
【図３】
2019219446.tif 000005
【図４】
2019219446.tif 000006
【図５】
2019219446.tif 000007
【図６】
2019219446.tif 000008